(57)【要約】その存在が望ましくない場所へ社会性昆虫が侵入することを防御または防止する、昆虫を抑制するための環境的に安全な方法が提供される。社会性昆虫の存在または出現を検出する方法も提供される。昆虫を抑制または検出するために適合させた環境的に安全な方法が開示される。【特許請求の範囲】
【請求項１】
社会性（social）昆虫が、その侵入が望ましくない場所
へ移動することを防御する方法であって、当該昆虫による侵入が疑われるかまたは観察される場所に接触するように、表面積または液体吸収性の大なる繊維性材料を配置することを特徴とする方法。
【請求項２】
社会性昆虫が、その侵入が望ましくない場所へ移動することを制御する方法であって、当該昆虫による侵入が疑われるかまたはその存在が観察される場所に接触するように、表面積または液体吸収性の大なる繊維性材料を配置することを特徴とする方法。
【請求項３】
社会性昆虫が、その侵入が望ましくない場所へ侵入することを検出する方法であって、当該昆虫が観察されるかまたは侵入が疑われるか場所に接触するように、表面積または液体吸収性の大なる繊維性材料を配置し、当該繊維性材料中の昆虫の数を算出して、種々の侵入箇所を検出することを特徴とする方法。
【請求項４】
社会性昆虫の存在が疑われるかまたは観察される場所に接触するように配置すべき指示書と組み合わせた、社会性昆虫を無能力、部位感覚喪失または移動不能にする能力を有する、表面積または液体吸収性の大なる繊維性材料。
【請求項５】
さらに有効量の殺昆虫性材料を含む、請求項４記載の繊維性材料。
【請求項６】
好ましくは基布と、当該基布に織り込まれまたは結びつけられており、当該基布の一方または両方の側からカット端またはループとして突出している、特別のセットの糸を有する、パイル織地のような織布を含む、ソフトな仕上がり品（finishings）や家庭用織物タイプの織物繊維から成る、請求項４記載の繊維性材料。
【請求項７】
特別織り、多数のソフトかつ繊細な繊維による稠密なループ・アンド・リブ織りを有する、請求項６記載の繊維性材料。
【請求項８】
織りが極細繊維(micro fiber)タイプである、請求項７記載の繊維性材料。
【請求項９】
少なくとも約１０極細繊維ループ/ｃｍ２、好ましくは約２０〜２００極細繊維ループ/ｃｍ２、より好ましくは約４０〜９０極細繊維ループ/ｃｍ２を有する、請求項８記載の繊維性材料。
【請求項１０】
極細繊維が両側で基布の表面上約０.１〜０.６ｃｍ伸長している、請求項９記載の繊維性材料。
【請求項１１】
バスタオル、手タオル、ウオッシュクロス、類似の水吸収性材料およびこれらの材料の断片から成る群から選択されたものである、請求項６記載の繊維性材料。
【請求項１２】
両側で基布の表面上約０.１〜０.６ｃｍ伸長している、約２０〜９０の極細繊維ループを有する、請求項１１記載の繊維性材料。
【請求項１３】
社会性昆虫の存在が疑われるかまたは観察される場所に接触するように配置すべき指示書と組み合わせた、約０.０５〜２.５ｃｍ長の範囲の大きさを有する、社会性（social）昆虫を移動不能にすることができる繊維性材料であって、当該繊維性材料が種々の幾何学的構造（ループまたは繊維の密度、長さおよび大きさ）のものであって、当該昆虫を抑制し、かつ、横行を防御するように適合されたデイメンジョンのものであり、上記種々の幾何学的構造が試行錯誤によって決定されるものである、繊維性材料。
【請求項１４】
社会性昆虫の移動を制御する方法であって、当該昆虫による侵入が疑われるかまたは観察される場所に接触するように、表面積または液体吸収性の大なる繊維性材料を脱着可能に配置することを特徴とする方法。
【請求項１５】
建築物の構造に使用される材料に付着された、社会性昆虫の移動を制御する能力を有する、表面積または液体吸収性の大なる繊維性材料。
【請求項１６】
付着が永久的なものである、請求項１５の材料。
【請求項１７】
付着が一時的なものである、請求項１６の材料。
【請求項１８】
社会性昆虫の移動を制御するための表面積の大きな繊維性材料が、社会性昆虫の侵入しやすい場所に配置されている建築または構造要素を有する、社会性昆虫の移動を制御する建築物または構造物。
【請求項１９】
繊維性材料の配置が屋内になされる、請求項１または請求項２記載の方法。
【発明の詳細な説明】
【０００１】
本発明は、昆虫を抑制する環境的に安全な方法を提供する。より具体的には、本発明方法は、社会性（social）昆虫、すなわち体系的かつ一団となって移動するような昆虫が、建築物、住居、家屋およびその他の構造物のようなその存在が望ましくない場所へ侵入することを防御または防止するものである。本発明は、また、社会性昆虫の方向感覚を失わせ、標的経路を追跡したり、意図する場所へ到達することを妨げる方法を提供する。また、本発明は、社会性昆虫の存在または出現を検出する方法を提供する。なおまた、本発明は、昆虫、より具体的には社会性昆虫を抑制または検出するのに適合した手段を提供する。そのような手段は、社会性昆虫の横行を抑制または防止するために適合した建築または構造要素または材料を含む。
【０００２】
アリやその他の昆虫のような社会性昆虫は、多数でコロニーに生活する。彼らは、環境的状況や個体の役目に応じて、そのコロニーや巣を規則的に離れ、種々の本能的機能や仕事を追跡する。たとえば、働きアリは、戦闘アリとは異なった機能を有することが知られている。
【０００３】
これらの機能を追跡する際、働きアリは、そのコロニーを離れて、その標的経路上のかなりの（その身長の多数倍にわたる）距離を移動し、意図する場所に到達する。彼らの巣が建築物や住居に近接して存在する場合、彼らは、しばしば小さな開口または裂け目を通してそれら建築物の中に入り込み、一旦入り込むと一定の好ましい経路を使用する。建築物は、しばしば建築物の壁材と壁に沿った床材の間の狭い開口または溝を備えて構築され、当該溝は社会性昆虫が彼らの標的場所に到達するに便利な経路として使用され得る。たとえば、乾燥期の間、アリは蛇口を見つけ出すこともあろう。また、働きアリは、彼らが生きるための（たとえばシロアリ）食物や他の昆虫またはその幼虫を探し求めたり、共生的関係を有する他の昆虫を探し出すこともあろう。
【０００４】
建築物や住居の社会性昆虫による侵入は、抑制することが非常に困難である。ホウ酸、酸化ヒ素、リン系有機化合物のような殺虫剤がしばしば地面、通常、建築物の外部に散布して使用されている。しかしながら、本発明者は、殺虫剤のこのような適用がしばしば一時的救済に過ぎないことを見出した。社会性昆虫は、しばしば適用後僅か１、２週で再出現する傾向にある。加えて、社会性昆虫の侵入は、極めて当たり前のことであるから、散布作業を提供する業者は、非常に需要が多く、その結果として、需要者はそのような業者が侵入場所に来る何日もときには数週間も前に、注文しなければならないことがある。本発明者は、社会性昆虫、特にアリによる侵入を抑制する試みを幾年にもわたって続けるうち、侵入が容易に予測できるようなパターンでは起こらず、散布してもそれに見合う効果が認められないことに着目した。連続的な抑制を達成するためには、散布作業を定期的に（たとえば３ヶ月毎に）実施することになるが、そのような実施は相当な量の殺虫剤の使用を必要とし、それも必ずしも侵入が盛んである場合とは限らない。加えて、そのような作業には、高い費用がかかるものである。さらに重要であるのは、特に屋内で散布作業を行うと、ヒト（特に幼児）や屋内飼育動物を高毒性の殺虫剤に曝すことになるので、躊躇せざるを得ないことである。そして、毒性が高いものであっても、すべてに対して直ちに効果があるわけではない。このようなことは、消費者が自分で購入し、使用するものであっても、例外ではない。たとえば、商業的に入手できるアリ捕獲具の場合でも、毒を得た昆虫が餌を残し、死ぬまで徘徊を続けることが可能である。事実、このような殺虫剤の適用の場合、毒を得たアリは、その巣へ帰り、女王アリを含む他のアリに毒を与えなければならない。毒を得た昆虫が、居住家屋内、特に台所やパントリーのような食事または食料場所を移動することが好ましくないことは、明らかなことである。本発明者は、商業的に入手しうる殺虫性物質を仕込んだ餌、たとえばホウ酸混入砂糖をしばしば使用するが、このような商業的に入手しうる餌は、比較的短期間有効であるに過ぎず、時々取りかえる必要があり、費用もかかるものである。ホウ酸は、ヒトや愛玩動物に対する毒性が低いものであるが、アリに対する効果も低い。加えて、居住家屋において、毒餌は幼児や愛玩動物に対して相当な危険をもたらすものである。この理由により、水道会社や環境汚染防止プログラム推進公共機関は、後記するように、これらの餌の使用を非常に憂慮している。
【０００５】
殺虫剤噴霧剤や粉末剤は、往々にして、抑制すべき社会性昆虫に対し選択的に作用せず、影響を与えるべきでない他の社会性昆虫に対しても有毒な毒物である。加えて、果樹や野菜の近傍における殺虫剤の使用は、望ましくない。さらに、入手できる噴霧剤や粉末剤の多くは、ヒトや動物におけるアレルギー反応を誘発するから、屋内における使用が望ましくない。最後に、アリのような社会性昆虫は、その自然的環境において、確かに有用な機能を果たしているものである。たとえば、アリは、一般に庭園においては有益なものである。彼らは、シロアリを攻撃し、ノミのような小虫やアリマキを含む多くの有害虫の幼虫や卵を食べる。従って、社会性昆虫抑制プログラムの究極の目的は、昆虫を殺すことではなく、建築物、住居および他の構造物へ昆虫が侵入することを防御することにある。本発明者が理解するところによれば、現在までに提案されている解決法では、望ましい目的が成就されていない。
【０００６】
本発明者は、サンタクララ汚染防止プログラムにより１９９７年１月に発行された"Urban Runoff Pollution（都市流水汚染）"と題する冊子を含む、アリ防除に関する多数の文献を精査した。この冊子は、アリが家屋へ入る開口部をふさぐことを示唆している。この解決方法は、開口部がどこか必ずしも明らかでない場合があり、極めて小さな開口でもアリにとっては建物へ入ることが可能であるから、現実に実施しうるものとは言い難い。加えて、すべての場所がふさぐに適しているとも言えない。しかしながら、本発明者が台所の窓の下枠近くの開口部をふさいだところ、新たにふさいだ場所を越えて入ろうとしたアリがふさいだところに張りついてしまうことが観察された。この観察事実に鑑み、本発明者は、問題を非化学的、物理的に解決する方法を見出すべく種々検討を進め、先ず上記冊子の示唆に従って、亀裂に珪藻土を適用したが、ほとんどないし全く効果が認められなかった。また、当該粉末は、すべての状況下で適用できるものでもない。
【０００７】
このように、長年にわたり、上記問題に対する満足すべき解決方法のないまま、台所への侵入の被害を甘受せざるを得なったのであるが、今回、物理的方法による、非常に簡単な、環境に安全な解決手段を見出すに至った。当該解決手段は、いかなる殺虫剤を使用する必要もなく、非常に有効かつ確実なものである。また、使用される材料は、何らの制限もなく、再使用できるものである。
【０００８】
本発明者の新しい方法は、社会性昆虫を誘引する場所に、大きな表面積または大きな液体吸収能を有する繊維性材料を適用することを含むものである。そのような場所とは、ヒトによる建築物、住居、その他の構造物に対する昆虫の侵入を誘引する、みぞ、開口、亀裂またはその他の場所を含む。本発明者は、繊維性材料との適当な時間の接触が、社会性昆虫のそれら構造物に対する侵入または徘徊を妨げたり、彼らがその標的経路を進むことが出来ないように方向を失わせたり、能力を奪うのに充分ではないかと考えた。驚くべきことに、一般に、数時間ないし数日間の接触が、社会性昆虫の建築物内への侵入を妨げたり、彼らの好む経路上の継続した移動を妨げるのに充分であることが見出された。しかしながら、繊維性材料との接触の正確な時間は、絶対的なものではなく、より短時間または長時間であってもよい。必要な時間は、徘徊のタイプに基づいて容易に決定するころができる。繊維性材料を徘徊場所に数時間適用した後、視的観察によりその効果を容易に知ることができる。たとえば、繊維性材料に接触前後の所定場所における昆虫の数を数えることができる。所定場所における繊維性材料との接触による典型的な効果は、実施例に記載するとおりである。
【０００９】
繊維性材料の性質は、比較的高い表面積または高い吸収性を有する限り、絶対的なものではない。ここに「比較的高い表面積（relatively high surface area）」なる語は、体長約１／５０〜３”（約０.０５〜７.６ｃｍ）、より好ましくは約１／２０〜１”（約０.１~２.５ｃｍ）の社会性昆虫の移動を制限することができる材料を意味するものである。「比較的高い表面積（relatively high surface area）」なる語を、織布の表面構造について、さらに詳細に後記する。その代替的用語である「高い吸収性」とは、その多数倍の重量の水のような液体を吸収する繊維性材料の能力を示すものである。当該用語は、単にミクロ繊維タイプの織布を特性化するために使用されるものであって、その詳細は後記する。多くの屋内適用に対して、液体吸収能力は、社会性昆虫による侵入が抑制されるべき場所は、乾燥しているものであるから、本発明における繊維性材料の使用と矛盾するものではない。屋外使用のためには、繊維性材料の高い水吸収性はその効果に対して逆に影響するであろう。それらの場合、撥水性繊維性材料または撥水性をもった繊維性材料の使用が好ましい。殆どの商業的に提供されたミクロ繊維性材料は水を吸収するから、社会性昆虫抑制材としてのその好ましい使用は、屋内である。昆虫抑制または検出の本発明における好ましい繊維性材料は、織布基質を有することであり、弛緩した状態の繊維性材料ではない。また、ヒトの手製繊維性材料も好ましい。
【００１０】
織物繊維（textile fibers)で作られた繊維性材料が好ましい。特に好ましいのは、ソフトな服飾品や家庭用織物タイプの繊維性材料である。これらの材料は、家庭、ホテル、レストラン、事務所、商店、レクリエーション施設または病院で使用される織布である。このような織布または繊維性材料の例としては、基布に織り込まれたまたは結びつけられた特別のセットの糸を有しており、基布の一方または両方の側にカットされた端またはループとして突出部を有する基布を持つパイル織り織布を含む。適当な繊維性材料の例は、その両側が織布のカットされていないループで覆われているタイプの布であるテリークロス（terry cloth)である。１セットの横糸が２セットの縦糸と編み込まれており、当該縦糸の１セットは堅く保持され、他の１セットは弛緩された状態でループを形成している。テリークロスは、非常に吸収性であって、バスタオル、ビーチコート、吸収性デイシュタオル、ウオッシュクロスのような吸収性または高い表面積のクリーニングクロスなどに使用される織布である。このような材料の残り布もまた、有用である。そのループがカットされている（一方または両方の側において）テリークロスのような、他の種類の繊維性材料もまた、有用である。しかしながら、特に好ましいものは、ミクロファイバーで作られたソフトな織物材料または織布である。そのような織物は、化学品フリーのクリーニングタオルとして使用される。たとえば、ソリュウションのクリスマスカタログ２０００は、特別の織物、幾千のソフトな、極細繊維による密なループ・アンド・リブ織りを有する、「ミラクル・クロス（Miracle Cloth）」と称するミクロファイバー布を提供する。この布は、非常に高い液体吸収性能を有しており、容易に洗ったり、再使用することができる。それは、典型的にポリエステルおよび／またはポリアミド繊維製である。本発明の社会性昆虫制御法に適した好ましい布は、８０％ポリエステルと２０％ポリアミド製のものである。他の非常に適切な布は、カリフォルニア州サンジエゴのミクロファイバー・アンリミテッド・インコーポレイテッド（MicrofiberUnlimited, Inc.）により製造された高性能ミクロファイバータオルである。適当なミクロフィバー製品は、少なくとも約６４ミクロファイバーループ／平方インチ（約１０／ｃｍ２）、より好ましくは約１４４〜１３００ミクロファイバーループ／平方インチ（約２０〜２００／ｃｍ２）、最も好ましくは約２５６〜６００ミクロファイバーループ／平方インチ（約４０〜９５／ｃｍ２）を有するものであろう。これらのミクロファイバーは、通常、両側において、基布の表面上、約１／１６〜１／４”（約０.１−０.２ないし０.６−０.７ｃｍ）伸びている。しかしながら、適切なミクロファイバーは、基布から上記の範囲よりも長くまたは短く伸びているものであってもよい。また、ソフトで、厚いバスまたはハンドタオルやこれに類似の吸収性材料もしくはそれらの材料の端片も、好ましさにおいてやや劣るかもしれないが、本発明方法で使用されてよい。このようなタオルは、いずれにせよ、両側において、基布の表面上、約１／１６〜１／４”（約０.１−０.２ないし０.６−０.７ｃｍ）伸びている、約１４４〜６００ミクロファイバーループ／平方��ンチ（約２０〜９５／ｃｍ２）を有するものであろう。ミクロファイバーは、ヒトの毛髪よりも１００倍細いものである。工業的顕微鏡を使用して、織布における差異を観察することができる。綿やウールのような材料のスレッド（thread）は、ストリング(string)のように丸い端（edges）を持った厚い（thick）ように見えるものであり、ミクロファイバーはスレッドについて数千の「端（edges）」が見えるものである。カナダ国アルバータ州エドモントンのスマート・ミクロファイバー・システム（Smart Microfiber Systems)は、そのウェブ・サイトで、ミクロフィバーがウェッジ形状面に分離しており、これがループに織られて、高い吸収性と表面積を与える小さなポケットを形成していることを示している。
【００１１】
アリの大きさは、その種により、長さにおいて約１／５０”ないし１”（約０.０５〜２.５ｃｍ）と顕著に異なっているので、繊維性材料の幾何学的構造は、社会性昆虫の最善の抑制を達成するために、変えられてよい。ループや繊維の密度、長さおよび寸法や繊維性材料のデイメンジョンを、簡単な試行錯誤により決定できる程度で、調節すべきであることは明らかである。すなわち、横行場所における繊維性材料の適用前後における昆虫の数をかぞえることによって、昆虫抑制に対する繊維性材料の幾何学的構造の変動の効果を決定低することができた。
【００１２】
繊維性材料の社会性昆虫誘引場所との接触面積の大きさは、絶対的なものではなく、社会性昆虫の侵入の度合いや大きさに依存する。一般に、１／５０〜１／４”（約０.０５〜２.５ｃｍ）の大きさの小さな昆虫に対しては、昆虫経路の幅が約１”（約２.５ｃｍ）である場合、繊維性材料は、少なくとも約２”（約５ｃｍ）の幅と、少なくとも約５”（約１２〜１３ｃｍ）の長さを有するべきである。住居内の昆虫経路の長さは、約５〜１０”（約１２〜２５ｃｍ）から約４０’（約１２ｍ）またはそれ以上の範囲でかなり変動するであろう。たとえば、ミラクル・クロス（Mirable ClothR）は、約14”x 16" （約３５ｃｍ x ４０ｃｍ）の大きさを有する。このクロスが使用されるのであれば、それを巻き上げて、巻き上げたクロスをアリのような社会性昆虫による侵入場所に接触させて縦に配置するのが最善であることを見出している。アリは、侵入場所（たとえば、住居内の部屋の壁と床の間の溝が、しばしばアリによって選択される経路となる。）の近くのクロスの表面を探索するであろう。多くのアリは、その侵入経路を離れて、クロスに移動する。その後、それらは、三次元構造に捕捉され、標的場所への行進を継続することができない。ｃｍ２あたりの基布から伸長する繊維の数が多いほど、表面積は大となる。しばしば、侵入を妨げるためには、単一の布を使用することで、充分であろう。しかしながら、より深刻な侵入に対しては、影響を受けている場所に接触させて幾つかの布片を置くことがしばしば有利である。社会性昆虫が住居へ入る場所を決めることは、ときに困難である。しかしながら、もし侵入された充分な場所が繊維性材料に接触しているならば、社会性昆虫は驚いて、その標的場所へ移動することを止めるであろう。繊維性材料の高い表面積は、社会性昆虫に対し、それらを捕捉したり、移動能力を制限する効果に加え、方向性を失わせたり、無能力化させる効果を有するように思われる。社会性昆虫の知能の故に、克服できない障害の存在は、恐らくコロニーの他の個体に対してシグナルを与えるものであり、その個体は異なった移動経路を選択することになり、その移動経路は住居への侵入を含まないか、または、新しい移動経路へ繊維性材料を配置して進入を抑制することを必要としよう。
【００１３】
従って、本発明は、社会性昆虫の移動を抑制する方法を含むものであって、当該方法は、高い表面積または高い吸収性能をもった繊維性材料をそのような社会的昆虫の侵襲が疑われたり、観察される場所に接触させて着脱可能に配置するから成る。ある適用のためには、繊維性材料を昆虫の侵入箇所または侵入が予期される場所、たとえば壁の部分に脱着可能に付着させてもよい。付着させた繊維性材料が所望の社会的昆虫抑制を達成したのち、それをその場所から取り外すことができる。「脱着可能」なる言葉は、処置されるべき場所に一時的付着を行うための接着剤の使用を含むものである。そのような接着剤は、通常、圧感受性タイプのものであって、マーキングを取り除くことなく、繊維性材料を取り外すことができるものである。たとえば、使い捨て取りつけテープや、使い捨てベルクロ（VelcroR）ブランドファスナーもしくはマスキングテープを、塗装仕事で使用するように、繊維性材料を侵入されるまたは侵入されやすい表面に一時的に付着させるために適用すればよい。
【００１４】
本発明方法は、昆虫抑制繊維性材料のいかなる特殊の形状を必要とするものでもない。それは、（横行場所に密に接触するよう）四角、三角、巻物、さお、屈曲または楔などの形状であってよい。一般に、それを抑制すべき場所の幾何学的形に適合できるよう、変形可能な形状が好ましい。しかしながら、繊維性材料は、また、構造物に使用される種々の建築材料に永久的に付着されてもよい。たとえば、繊維性材料は、壁に付着するように、基板に接着されてもよい。
【００１５】
本発明方法の好ましい実施態様においては、殺虫剤の使用を含まない。ただし、繊維性材料に殺虫剤を付加することも可能ではある。しかしながら、その場合、本発明方法の利点が多少失われることになる。すなわち、本発明方法は、完全には安全でなくなり、殺虫剤を使用する場合に類似した環境的不利益を有するものとなる。しかし、繊維性材料と殺虫剤を併用する効果として、社会性昆虫の横行を抑制するための殺虫剤の使用量を低下させることが可能になる。また、殺虫性石鹸のような有害性の低い材料を、本発明方法と共に使用してもよい。
【００１６】
本発明方法の重要な利点は、横行が抑制された後、繊維性材料を、新しい横行の恐れが生ずるまで、単に取り除いて置くことができることである。必要が生じたとき、繊維性材料を再び出没場所に接触させればよい。当該材料は、社会性昆虫抑制のために完全に再使用することができ、洗濯して他の目的に使用してもよい。一般に、殺虫剤は含まれておらず、当該材料の効果は、殺虫剤のように時間と共に弱まるものではない。繊維性材料は、幼児やペットにとって安全なものであるが、出没抑制場所から離れているように躾けることが必要であるかもしれない。
【００１７】
社会性昆虫がその横行の望ましくない地域へ入ることを検出する、本発明の新しい方法は、そのような社会性昆虫の横行が疑われる場所に高い表面積または高い液体吸収性の繊維性材料を置き、たとえば当該繊維性材料中の昆虫の数を数えることによって種々の侵入点を決定することを含むものである。当該方法は、侵入した昆虫が繊維性材料中に移動するや否や無力化するものであるから、種々の侵入点のむしろ直接的決定を可能にするものである。
【００１８】
本発明方法の繊維性材料は、社会性昆虫の横行する地域の建物の構造内で直接に使用され得る。建物の構造内で使用される材料に付着した社会性昆虫の移動を抑制する能力を有する、高い表面積の繊維性材料が使用されてよい。多くの場合、建物材料に繊維性材料を永久的に付着させることが有利であろう。しかしながら、本発明は、建物の構造において、繊維性材料を木材や金属のような他の建築材料に直接付着させることなく、ルーズな形態で使用することも含むものである。すなわち、本発明は、社会性昆虫が侵入しやすい建物内の地域におけるそのような昆虫の移動を抑制するために、高い表面積を有する繊維性材料の使用を含む建物や構造物の要素を有している、そのような昆虫の移動を制限する建物や構造物を含むものである。
【００１９】
本発明は、昆虫、特に社会性昆虫を抑制するか検出するのに適合した、高い表面積または高い液体吸収能を有する繊維性材料を含むものである。この繊維性材料は、そのような社会性昆虫が予測されたり、観察される場所に接触して当該繊維性材料を配置するための指示を含むものである。たとえば、そのような指示は、繊維性材料自体のうえに、その包装に対して、または繊維性材料に付着して存在することができる。
【００２０】
実施例１
約１.８"（約０.３ｃｍ）長の褐色アリが周期的に徘徊し、裏庭に面する台所壁基板と硬材床の間に形成されたみぞに沿って移動する、硬材床台所において、影響を受けた場所は、約４０'（約１２ｍ）長で、台所低部に至る台所カウンターの部分を含んでおり、こればアリの好ましい標的位置であった。この徘徊場所は、炉、若干の窓、裏庭に至るフランスドアを含んでいた。影響場所について数えたところ、徘徊の間、平均して約７〜１０匹アリ／平方インチ（約１〜２匹アリ／ｃｍ２）であった。
【００２１】
種々の時点で、昆虫抑制の多くの方法を使用した。徘徊を抑制するため、散布家屋全体に沿って、屋外の裏庭の地帯に、ダイアジノンを散布した。ただし、台所内部には散布を行なわなかった。散布作業後、屋内のアリの数は、僅かにかつ一時的に約１〜５匹／平方インチ（約０〜２匹／ｃｍ２）に減少したが、完全な抑制は成就されなかった。第２の試みとして、疑われる侵入場所の近傍にホウ酸餌を置いたが、アリの台所場所へ侵入は継続した。アリの数において、一時的減少が認められたが、侵入は本質的に低下することなく継続した。最後に、「CombatR」の有効成分であるヒドラメチオン含有餌を使用した。より多くのアリがより速く殺されたが、殺されたアリは外部とのいろいろな開口を通って侵入する新しいアリに取って代わられただけで、それほど長く侵入を完全に抑制することは出来なかった。
【００２２】
以上、アリを抑制するいずれの方法も失敗した後、アリの経路を真空クリーナーで完全にきれいにした。真空クリーナーの適用に先立って、平均約７〜１０匹の褐色アリ／平方インチ（約１〜２匹／ｃｍ２）が数えられた。その後、巻かれたMiracle ClothRの２２片をアリの徘徊域に接触させて置いた。アリが家の中に入る点を知らなかったので、地面の徘徊域全体を被覆した。徘徊域は、台所壁の基板と台所硬木床の間に形成されたみぞであって、アリにより台所の流しに至る通路として使用されていた。接触後約半時間で、個々のアリ、特に一般的経路を辿らないアリがなお散見されたけれども、徘徊は実質的に認められなくなった。数時間後、若干片の布を持ち上げたところ、通常使用されていた経路には、アリを全く認めなかった。ミクロ繊維を詳細に調べたところ、布片あたり０〜７匹のアリが数えられた。これらのアリは、一部がなお生きてはいたが固定化されており、次のように分布していた：炉（屋内への入り口と疑われた点）に隣接する２片の布に６匹、大きな台所の窓に沿った９片の布に０〜３匹、第２の（小）窓（屋内への入り口と疑われた点）に続く台所コーナーに６匹、裏庭や第２の小窓に至る台所ドアに沿って０〜７匹。7匹のアリが、第２の小窓（もう1つの入り口と疑われた場所）に隣接するクロス片に発見された。２４時間後に繊維性材料を取り去ったが、数週間にわたり、更なる横行を認めなかった。
【００２３】
実施例２
実施例１に記載された地域において、アリの横行は、巻いたMiracle ClothR片を入り口と思われる場所のそれぞれに置いたところ、２、３時間で抑制された。
【００２４】
実施例３
横行地帯が、一方において浴室ドアであり、他方において手洗い、シャワーおよび流し周囲の地帯の間からなっている小さな浴室において、浴室ドア地帯の入り口に巻き上げMiracle ClothRの２片を置いたところ、数時間内に完全なアリの抑制が達成された。
【００２５】
実施例４
台所の流しに誘引されていた、ファイア・アリ（fire ants)の通り道をブロックするため、巻き上げMiracle ClothRの２片をL字形にタイル張りした台所カウンターの狭い端にカウンターを横切って置き、そのクロスの端片をカウンターの下の台所キャビネットの上端に付着させた。それに加え、巻き上げMiracle ClothRの２片を、マスキングテープにより、狭いカウンター表面に隣接した壁タイルに付着させ、巻き上げMiracle ClothRで被覆した連続地域を形成させた。さらに、L字形カウンターの広い方の端に、同様に、クロス３片を置き、両側で、カウンターの下の台所キャビネットの木製トップボードに固定した。この配置により、台所カウンター上の横行を抑制することができた。
【国際公開パンフレット】
2004524828.tif 000002
2004524828.tif 000003
2004524828.tif 000004
2004524828.tif 000005
2004524828.tif 000006
2004524828.tif 000007
2004524828.tif 000008
2004524828.tif 000009
2004524828.tif 000010
2004524828.tif 000011
2004524828.tif 000012
2004524828.tif 000013
2004524828.tif 000014
2004524828.tif 000015
【国際調査報告】
2004524828.tif 000016
2004524828.tif 000017